(57)【特許請求の範囲】
【請求項１】
ハウジング本体と、
前記ハウジング本体の両側面に回動可能に取り付けられる一対の旋回部を有し、前記ハウジング本体と相手ハウジング本体とを嵌合開始位置に位置合わせした状態で前記一対の旋回部を回動させることで、ハウジング本体同士を嵌合させる嵌合操作レバーと、
を備え、
前記ハウジング本体の各前記側面は、前記旋回部の回転中心寄りの位置から前記旋回部の周縁部に向かって前記旋回部との間の隙間が徐々に増大する曲面部をそれぞれ有するコネクタハウジングであって、
各前記曲面部には、前記ハウジング本体の幅方向に沿って前記旋回部に向かって突出して、前記曲面部と前記旋回部との間の隙間を所定以下に狭めるリブがそれぞれ備えられ、
一対の前記リブの外縁面と、一対の前記リブの外縁面の間に位置する前記ハウジング本体の外縁面とにより、前記ハウジング本体の幅方向に連続する１つの平坦な面が構成され、
対応する前記リブの外縁面と前記旋回部の外周縁とが、前記ハウジング本体の幅方向に沿って面一に並んでいることを特徴とするコネクタハウジング。
【発明の詳細な説明】
【技術分野】
【０００１】
本発明は、ハウジング本体の側面に、該側面に回動可能に取り付けられる嵌合操作レバーの旋回部との間に隙間を形成する曲面部を有するコネクタハウジングに関する。
【背景技術】
【０００２】
図７は、下記特許文献１に開示されたコネクタハウジングを示している。
このコネクタハウジング１００は、電線２１０の端部に接続された端子金具を収容するハウジング本体１１０と、該ハウジング本体１１０の両側面１１１に回動可能に取り付けられた嵌合操作レバー１２０とを備えている。
【０００３】
嵌合操作レバー１２０は、ハウジング本体１１０の側面１１１に回動可能に取り付けられる左右一対の旋回部１２１と、この左右一対の旋回部１２１を連結して旋回部１２１を旋回させるときの操作部となる操作杆部１２２と、旋回部１２１に形成されて該旋回部１２１の旋回に伴って相手ハウジング本体３１０の連結用ピン３１３を引き込むカム溝１２３と、を備えている。この嵌合操作レバー１２０は、ハウジング本体１１０と相手ハウジング本体３１０とを嵌合開始位置に位置合わせした状態で旋回部１２１を回動させることで、ハウジング本体同士を嵌合させる。
【０００４】
ハウジング本体１１０の側面１１１は、旋回部１２１の回転中心寄りの位置から旋回部１２１の周縁部に向かって旋回部１２１との間の隙間Ｓ１が徐々に増大する曲面部１１４を有している。
【先行技術文献】
【特許文献】
【０００５】
【特許文献１】特開平９−２２３５４０号公報
【発明の概要】
【発明が解決しようとする課題】
【０００６】
ところが、特許文献１に記載のコネクタハウジング１００の場合、ハウジング本体１１０の側面１１１の曲面部１１４と旋回部１２１との間の隙間Ｓ１に、コネクタハウジング１００の周囲に配索される電線等の異物が挟まる等、旋回部１２１に外力が及びやすい構造となっている。そのため、旋回部１２１に外力が及んだ際、嵌合操作レバー１２０がハウジング本体１１０から外れてしまう（脱落してしまう）、又は旋回部１２１が破損してしまうおそれがあった。
【０００７】
そこで、本発明の目的は、上記課題を解消することに係り、ハウジング本体の側面の曲面部と嵌合操作レバーの旋回部との間に異物が挟まることを防止し、異物の挟まりによる嵌合操作レバーの脱落や破損を防止することができるコネクタハウジングを提供することにある。
【課題を解決するための手段】
【０００８】
本発明の前述した目的は、下記の構成により達成される。
（１）  ハウジング本体と、
前記ハウジング本体の両側面に回動可能に取り付けられる一対の旋回部を有し、前記ハウジング本体と相手ハウジング本体とを嵌合開始位置に位置合わせした状態で前記一対の旋回部を回動させることで、ハウジング本体同士を嵌合させる嵌合操作レバーと、
を備え、
前記ハウジング本体の各前記側面は、前記旋回部の回転中心寄りの位置から前記旋回部の周縁部に向かって前記旋回部との間の隙間が徐々に増大する曲面部をそれぞれ有するコネクタハウジングであって、
各前記曲面部には、前記ハウジング本体の幅方向に沿って前記旋回部に向かって突出して、前記曲面部と前記旋回部との間の隙間を所定以下に狭めるリブがそれぞれ備えられ、
一対の前記リブの外縁面と、一対の前記リブの外縁面の間に位置する前記ハウジング本体の外縁面とにより、前記ハウジング本体の幅方向に連続する１つの平坦な面が構成され、
対応する前記リブの外縁面と前記旋回部の外周縁とが、前記ハウジング本体の幅方向に沿って面一に並んでいることを特徴とするコネクタハウジング。
【００１０】
上記（１）の構成によれば、ハウジング本体の側面の曲面部と嵌合操作レバーの旋回部との間の隙間に、ケーブル等の異物が進入しようとした場合、その異物は、ハウジング本体の側面の曲面部に設けられたリブと干渉して、隙間への進入が阻止される。従って、ハウジング本体の側面の曲面部と嵌合操作レバーの旋回部との間に異物が挟まることを防止し、異物の挟まりによる旋回部の脱落や破損を防止することができる。
【発明の効果】
【００１２】
本発明によるコネクタハウジングによれば、ハウジング本体の側面の曲面部と嵌合操作レバーの旋回部との間に異物が挟まることを防止し、異物の挟まりによる嵌合操作レバーの脱落や破損を防止することができる。
【００１３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１４】
【図１】本発明に係るコネクタハウジングの第１実施形態の後方の斜め下方から視た斜視図である。
【図２】図１に示したコネクタハウジングの後面図である。
【図３】本発明に係るコネクタハウジングの第２実施形態の後方の斜め下方から視た斜視図である。
【図４】図３に示したコネクタハウジングの後面図である。
【図５】比較例として、図１に示したコネクタハウジングからリブを省いた構成のコネクタハウジングの後方の斜め下方から視た斜視図である。
【図６】図５に示したコネクタハウジングの後面図である。
【図７】従来のコネクタハウジングの後方の斜め上方から視た斜視図である。
【発明を実施するための形態】
【００１５】
以下、本発明に係るコネクタハウジングの好適な実施形態について、図面を参照して詳細に説明する。
【００１６】
［第１実施形態］
図１及び図２は本発明に係るコネクタハウジングの第１実施形態を示したもので、図１は本発明の第１実施形態のコネクタハウジングの後方の斜め下方から視た斜視図、図２は図１に示したコネクタハウジングの後面図である。
【００１７】
この第１実施形態のコネクタハウジング４は、ハウジング本体４１と、このハウジング本体４１の両側面に回動可能に取り付けられる嵌合操作レバー４２と、を備えている。
【００１８】
ハウジング本体４１は、内部に２行２列に端子収容孔を備えており、後端には、前記端子収容孔に収容した端子金具に接続された電線が挿通する電線挿通孔４１１が２行２列に装備されている。
【００１９】
このハウジング本体４１の両側面４１３には、後述する嵌合操作レバー４２の旋回部４２１を回動可能に支持するレバー支持部４１４が設けられている。
【００２０】
また、ハウジング本体４１の側面４１３は、嵌合操作レバー４２の旋回部４２１の回転中心寄りの位置から旋回部４２１の周縁部に向かって旋回部４２１との間の隙間Ｓ１が徐々に増大する曲面部４１５を有している。
【００２１】
また、曲面部４１５には、ハウジング本体４１の幅方向（図２では、矢印Ｘ１方向）に沿って旋回部４２１に向かって突出した板状のリブ４１６を備えている。このリブ４１６は、図１に示すように、板厚がｔ１の厚板状に形成されている。また、このリブ４１６は、曲面部４１５と旋回部４２１との間の隙間Ｓ２を所定以下に狭めている。隙間Ｓ２は、例えば、コネクタハウジング４の周辺に配索される電線の最小外径よりも小さな値に設定すると良い。
【００２２】
また、本実施形態の場合、板状のリブ４１６は、図２に示すように、ハウジング本体４１の幅方向に沿って延在する外縁部４１６ａが、旋回部４２１の外周縁４２１ａよりも、寸法ｈだけ、外側に位置するように、ハウジング高さ方向（図２では矢印Ｙ１方向）の突出長が設定されている。
【００２３】
嵌合操作レバー４２は、ハウジング本体４１の側面４１３に回動可能に取り付けられる左右一対の旋回部４２１と、これらの左右一対の旋回部４２１を連結して旋回部４２１を旋回させるときの操作部となる操作杆部４２２と、を備えている。そして、旋回部４２１には、旋回に伴って相手ハウジング本体の連結用ピンを引き込むカム溝が備えられている。
【００２４】
この嵌合操作レバー４２は、ハウジング本体４１と相手ハウジング本体とを嵌合開始位置に位置を合わせた状態で旋回部４２１を回動させることで、ハウジング本体同士を嵌合させる。
【００２５】
以上に説明した第１実施形態のコネクタハウジング４の場合、ハウジング本体４１の側面４１３の曲面部４１５と嵌合操作レバー４２の旋回部４２１との間の隙間Ｓ１に、ケーブル等の異物５（図２参照）が進入しようとした場合、その異物５は、ハウジング本体４１の側面４１３の曲面部４１５に設けられたリブ４１６と干渉して、隙間Ｓ１への進入が阻止される。従って、ハウジング本体４１の側面４１３の曲面部４１５と嵌合操作レバー４２の旋回部４２１との間に異物５が挟まることを防止し、異物５の挟まりによる旋回部４２１の脱落や破損を防止することができる。
【００２６】
更に、本実施形態のコネクタハウジング４の場合、ハウジング本体４１の側面４１３の曲面部４１５に突設したリブ４１６の外縁部４１６ａが嵌合操作レバー４２の旋回部４２１の外周縁４２１ａよりも寸法ｈだけ外側に位置している。そのため、例えば、ハウジング本体４１の下面を幅方向（図２の矢印Ｘ１方向）に擦るケーブル等の異物５は、リブ４１６の外縁部４１６ａ上を摺動して、図２に矢印Ｒ１で示すように、リブ４１６と旋回部４２１との境界から離れた位置に移動し易く、リブ４１６と旋回部４２１との境界の隙間Ｓ２を飛び越え易くなる。そのため、リブ４１６の外縁部４１６ａと旋回部４２１の外周縁４２１ａとが面一に並ぶ場合（後述の図６の場合）よりも、更に、異物５が隙間Ｓ１に入り難くなる。従って、ハウジング本体４１の側面４１３の曲面部４１５と嵌合操作レバー４２の旋回部４２１との間に異物５が挟まることを、より確実に防止することができる。
【００２７】
また、本実施形態で曲面部４１５に装備したリブ４１６は、ハウジング本体４１の前後方向に沿って、厚さ寸法ｔ１の板状で、ハウジング本体４１の前後方向の一部にのみ装備するだけで、効率良く、異物の割り込みを防止することができる。
【００２８】
［第２実施形態］
図３及び図４は本発明に係るコネクタハウジングの第２実施形態を示したもので、図３は本発明の第２実施形態のコネクタハウジングの後方の斜め下方から視た斜視図、図４は図３に示したコネクタハウジングの後面図である。
【００２９】
この第２実施形態のコネクタハウジング４Ａは、第１実施形態の一部を改良したもので、リブ４１６のハウジング幅方向に延在する外縁部４１６ａと、旋回部４２１の外周縁４２１ａとが面一に並ぶようにしたものである。即ち、第２実施形態のリブ４１６は、第１実施形態のリブ４１６と比較すると、高さｈだけ、ハウジング高さ方向の突出長が小さくなっている。
【００３０】
この第２実施形態のコネクタハウジング４Ａの場合も、ハウジング本体４１の側面４１３の曲面部４１５と嵌合操作レバー４２の旋回部４２１との間の隙間Ｓ１は、曲面部４１５に突設されたリブ４１６によって埋められるため、隙間Ｓ１への異物の進入を防止することができる。従って、隙間Ｓ１に異物５が挟まることを防止し、異物５の挟まりによる旋回部４２１の脱落や破損を防止することができる。
【００３１】
［比較例］
図５及び図６は、第１実施形態のコネクタハウジング４からリブ４１６を省いた構成のコネクタハウジング４Ｂを示している。リブ４１６が装備されていないと、図６に示すように、ケーブル等の異物５が、ハウジング本体４１の側面４１３の曲面部４１５と嵌合操作レバー４２の旋回部４２１との間の隙間Ｓ１に、挟まるおそれがある。そして、旋回部４２１の回動によって、異物５が隙間Ｓ１の奧に送り込まれると、旋回部４２１が外れたり、破損したりするおそれがある。
【００３２】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３３】
例えば、リブ４１６は、ハウジング前後方向の途中の一箇所だけでなく、ハウジング前後方向に離間した複数箇所に装備するようにしても良い。
【００３４】
ここで、上述した本発明に係るコネクタハウジングの実施形態の特徴をそれぞれ以下［１］〜［２］に簡潔に纏めて列記する。
【００３５】
［１］  ハウジング本体（４１）と、
前記ハウジング本体（４１）の側面（４１３）に回動可能に取り付けられる旋回部（４２１）を有し、前記ハウジング本体（４１）と相手ハウジング本体とを嵌合開始位置に位置合わせした状態で前記旋回部（４２１）を回動させることで、ハウジング本体同士を嵌合させる嵌合操作レバー（４２）と、
を備え、
前記ハウジング本体（４１）の側面（４１３）は、前記旋回部（４２１）の回転中心寄りの位置から前記旋回部（４２１）の周縁部に向かって前記旋回部（４２１）との間の隙間（Ｓ１）が徐々に増大する曲面部（４１５）を有するコネクタハウジング（４）であって、
前記曲面部（４１５）には、前記ハウジング本体（４１）の幅方向に沿って前記旋回部（４２１）に向かって突出して、前記曲面部（４１５）と前記旋回部（４２１）との間の隙間（Ｓ１）を所定以下に狭めるリブ（４１６）を備えたことを特徴とするコネクタハウジング（４）。
【００３６】
［２］  前記リブ（４１６）は、前記ハウジング本体（４１）の幅方向に沿って延在する外縁部（４１６ａ）が、前記旋回部（４２１）の外周縁（４２１ａ）よりも外側に位置することを特徴とする上記［１］に記載のコネクタハウジング（４）。
【符号の説明】
【００３７】
４  コネクタハウジング
４１  ハウジング本体
４２  嵌合操作レバー
４１３  側面
４２１  旋回部
４１５  曲面部
４１６  リブ
４１６ａ  外縁部
４２１ａ  外周縁
Ｓ１  隙間
【図１】
0006042856.tif 000002
【図２】
0006042856.tif 000003
【図３】
0006042856.tif 000004
【図４】
0006042856.tif 000005
【図５】
0006042856.tif 000006
【図６】
0006042856.tif 000007
【図７】
0006042856.tif 000008